【手続補正書】
【提出日】平成25年6月19日(2013.6.19)
【手続補正１】
【補正対象書類名】特許請求の範囲
【補正対象項目名】全文
【補正方法】変更
【補正の内容】
【特許請求の範囲】
【請求項１】
使用済み透析物から汚染物質を除去するための透析物再生システムであって、
a)  i)  透析物循環流路を通して使用済み透析物をポンプ輸送するポンプ；
ii)  使用済み透析物から汚染物質を除去するために適合された第1のカートリッジ、該第1のカートリッジは、第1の洗浄溶液流入口および第1の洗浄溶液流出口を含む；および
iii)  使用済み透析物から尿素を除去するために適合された第2のカートリッジ、該第2のカートリッジは、半透過性中空繊維の壁を通過した尿素の輸送のために適合され、かつ透析物中に少なくともカルシウム、マグネシウムおよびナトリウムのイオンを保持するために適合された半透過性中空繊維を含み、第2の洗浄溶液流入口および第2の洗浄溶液流出口を含む
を含む、透析物循環流路；
b)  第1のカートリッジの第1の洗浄溶液流出口から第1の洗浄ステージを通して第1のカートリッジの第1の洗浄溶液流入口へと、第1の洗浄溶液をポンプ輸送するポンプを含む、第1の透析物洗浄流路；ならびに
c)  第2のカートリッジの第2の洗浄溶液流出口から第2の洗浄ステージを通して第2のカートリッジの第2の洗浄溶液流入口へと、第2の洗浄溶液をポンプ輸送するポンプを含む、第2の透析物洗浄流路
を含む、透析物再生システム。
【請求項２】
第1の洗浄ステージが活性炭を含む、請求項１記載の透析物再生システム。
【請求項３】
第1の洗浄ステージが酸化ジルコニウムを含む、請求項２記載の透析物再生システム。
【請求項４】
活性炭および酸化ジルコニウムが混合物を形成する、請求項３記載の透析物再生システム。
【請求項５】
第1のカートリッジが限外ろ過膜カートリッジである、請求項１記載の透析物再生システム。
【請求項６】
第1のカートリッジが精密ろ過膜カートリッジである、請求項１記載の透析物再生システム。
【請求項７】
第2の洗浄ステージがウレアーゼを含む、請求項１記載の透析物再生システム。
【請求項８】
ウレアーゼが固定化ウレアーゼである、請求項７記載の透析物再生システム。
【請求項９】
第2の洗浄ステージがリン酸ジルコニウムを含む、請求項７記載の透析物再生システム。
【請求項１０】
ウレアーゼおよびリン酸ジルコニウムが少なくとも1つのカートリッジに統合される、請求項９記載の透析物再生システム。
【請求項１１】
第2の洗浄ステージが強酸性カチオン交換樹脂を含む、請求項１０記載の透析物再生システム。
【請求項１２】
ウレアーゼおよび強酸性カチオン交換樹脂が少なくとも1つのカートリッジに統合される、請求項１１記載の透析物再生システム。
【請求項１３】
第2の洗浄ステージがアニオン交換樹脂を含む、請求項１１記載の透析物再生システム。
【請求項１４】
第1の洗浄溶液が、透析物中のカルシウムおよびマグネシウムおよびナトリウムのほぼ同じ濃度またはそれ以下の濃度のカルシウム、マグネシウムおよびナトリウムを含む、請求項１記載の透析物再生システム。
【請求項１５】
第2の洗浄溶液が浸透剤を含む、請求項１記載の透析物再生システム。
【請求項１６】
浸透剤がスクロースを含む、請求項１５記載の透析物再生システム。
【請求項１７】
汚染物質が、クレアチニン、β-2-ミクログロブリンおよびリン酸塩の1つ以上を含む、請求項１記載の透析物再生システム。
【請求項１８】
使用済み腹膜透析物から汚染物質を除去するための透析物再生システムであって、
a)  i)  透析物循環流路を通して透析物をポンプ輸送するポンプ；
ii)  限外ろ過膜を含み、使用済み透析物から汚染物質を除去するために適合された第1のカートリッジ、該第1のカートリッジは、第1の洗浄溶液流入口および第1の洗浄溶液流出口を含む；および
iii)  使用済み透析物から尿素を除去するために適合された第2のカートリッジ、該第2のカートリッジは、半透過性中空繊維の壁を通過した尿素の輸送のために適合され、かつ使用済み透析物中に少なくともカルシウム、マグネシウムおよびナトリウムのイオンを保持するために適合された半透過性中空繊維を含み、第2の洗浄溶液流入口および第2の洗浄溶液流出口を含む
を含む、透析物循環流路；
b)  第1のカートリッジの第1の洗浄溶液流出口から第1の洗浄ステージを通して第1のカートリッジの第1の洗浄溶液流入口へと、第1の洗浄溶液をポンプ輸送するポンプを含む第1の透析物洗浄流路、該第1の洗浄ステージは、活性炭および酸化ジルコニウムの混合物を含む；ならびに
c)  第2のカートリッジの第2の洗浄溶液流出口から第2の洗浄ステージを通して第2のカートリッジの第2の洗浄溶液流入口へと、第2の洗浄溶液をポンプ輸送するポンプを含む第2の透析物洗浄流路、該第2の洗浄ステージは、固定化ウレアーゼおよびリン酸ジルコニウムを含む
を含む、透析物再生システム。
【請求項１９】
a)  i)  使用済み透析物から汚染物質を除去するために適合された第1のカートリッジ、該第1のカートリッジは、第1の洗浄溶液流出口および第1の洗浄溶液流入口を含む；
ii)  使用済み透析物から尿素を除去するために適合された第2のカートリッジ、該第2のカートリッジは、半透過性中空繊維の壁を通過した尿素の輸送のために適合され、かつ使用済み透析物中に少なくともカルシウム、マグネシウムおよびナトリウムのイオンを保持するために適合された半透過性中空繊維を含み、第2の洗浄溶液流出口および第2の洗浄溶液流入口を含む；および
iii)  患者の腹腔に所定量の透析物を輸送し、第1のカートリッジおよび第2のカートリッジに患者の腹腔からの使用済み透析物を誘導し、患者の腹腔に再生透析物を導入するために形成された腹膜透析循環器
を含む、透析物循環流路；
b)  第1のカートリッジの第1の洗浄溶液流出口から第1の洗浄ステージを通して第1のカートリッジの第1の洗浄溶液流入口へと、第1の洗浄溶液をポンプ輸送するポンプを含む第1の透析物洗浄流路；ならびに
c)  第2のカートリッジの第2の洗浄溶液流出口から第2の洗浄ステージを通して第2のカートリッジの第2の洗浄溶液流入口へと、第2の洗浄溶液をポンプ輸送するポンプを含む第2の透析物洗浄流路
を含む、腹膜透析システムおよび透析物再生システム。
【請求項２０】
患者の治療のためおよび使用済み透析物から汚染物質を除去するための腹膜透析システムであって、
a)  i)  患者の腹腔からの患者透析物流出口；
ii)  患者透析物流出口から透析物循環流路を通して使用済み透析物をポンプ輸送するポンプ；
iii)  使用済み透析物から汚染物質を除去するために適合された第1のカートリッジ、該第1のカートリッジは、第1の洗浄溶液流入口および第1の洗浄溶液流出口を含む；
iv)  使用済み透析物から尿素を除去するために適合された第2のカートリッジ、該第2のカートリッジは、半透過性中空繊維の壁を通過した尿素の輸送のために適合され、かつ使用済み透析物中に少なくともカルシウム、マグネシウムおよびナトリウムのイオンを保持するために適合された半透過性中空繊維を含み、第2の洗浄溶液流入口および第2の洗浄溶液流出口を含む；および
v)  患者の腹腔に戻る患者透析物流入口
を含む、透析物循環流路；
b)  第1のカートリッジの第1の洗浄溶液流出口から第1の洗浄ステージを通して第1のカートリッジの第1の洗浄溶液流入口へと、第1の洗浄溶液をポンプ輸送するポンプを含む第1の透析物洗浄流路；ならびに
c)  第2のカートリッジの第2の洗浄溶液流出口から第2の洗浄ステージを通して第2のカートリッジの第2の洗浄溶液流入口へと、第2の洗浄溶液をポンプ輸送するポンプを含む第2の透析物洗浄流路
を含む、腹膜透析システム。